(57)【特許請求の範囲】
【請求項１】
被施術者の下腿から足先までの範囲内の施術対象部が当てられて同施術対象部をマッサージするマッサージ手段を有した施術本体部と、
前記施術本体部を床面上に支持するベース部と、
前記ベース部に対して前記施術本体部をリクライニング可能に支持するリクライニング機構とを備えるマッサージ器において、
前記リクライニング機構は、
前記施術本体部および前記ベース部における一方に設けられ、前記施術本体部をリクライニングさせる方向に沿って延びるレール部と、
前記施術本体部および前記ベース部における他方に設けられ、前記レール部に面接触した状態で摺動することにより前記レール部に対して相対変位する摺動体とを備え、
前記摺動体は、前記レール部上を摺動接触する摺動面に凹状に窪んだ凹部が形成されており、
前記凹部は、前記摺動体の摺動方向に対して交わる方向に沿って形成された溝部であり、
前記溝部は、前記摺動体の縁部に貫通した状態で形成されているとともに、前記摺動体における幅方向の略中央部から同摺動体の両端部に向って互いに交わる方向に延びる少なくとも２つの溝で構成されていることを特徴とする足用マッサージ器。
【請求項２】
請求項１に記載した足用マッサージ器において、
前記溝部は、２つの前記溝で構成され、
前記２つの溝は、Ｘ字状、Ｖ字状またはＵ字状に交わるように形成されていることを特徴とする足用マッサージ器。
【請求項３】
請求項１または請求項２に記載した足用マッサージ器において、
前記レール部は、前記摺動体が摺動接触する摺動面に前記摺動体の摺動方向に沿って突出する凸部を有することを特徴とする足用マッサージ器。
【請求項４】
請求項１ないし請求項３のうちのいずれか１つに記載した足用マッサージ器において、
前記リクライニング機構は、さらに、
前記施術本体部を前記ベース部に対して起立させる方向に押圧する起立手段を備えることを特徴とする足用マッサージ器。
【発明の詳細な説明】
【技術分野】
【０００１】
本発明は、被施術者の下腿から足先までの間の施術対象部をマッサージする足用マッサージ器に関する。
【背景技術】
【０００２】
従来から、被施術者のふくらはぎや足先などの施術対象部を断続的に圧迫するなどしてマッサージする足用マッサージ器が知られている。一般に、足用マッサージ器は、主として、被施術者における施術対象部を含む足部を収容して同施術対象部をマッサージする施術本体部と、この施術本体部を床面上で支持するベース部とで構成されている。
【０００３】
このような足用マッサージ器においては、ベース部に対して施術本体部を足用マッサージ器の前後方向に揺動させてリクライニングさせることができるリクライニング機構を備えたものがある。例えば、下記特許文献１には、施術本体部の背面にリクライニング方向に延びたレール部を備えるとともに、ベース部の上部に前記レール部上を転動するローラを備えた足用マッサージ器が開示されている。
【先行技術文献】
【特許文献】
【０００４】
【特許文献１】特開２００７−２６８００２号公報
【０００５】
しかしながら、上記特許文献１に記載された足用マッサージ器においては、施術本体部の背面に設けられたレール部上をローラが転動することにより施術本体部がベース部に対してリクライニングするため、施術本体部のリクライニング角度（傾斜角）の調整が行い難いことがあるとともにリクライニング操作に違和感を覚えることがあるという問題があった。
【０００６】
すなわち、足用マッサージ器に採用される従来のリクライニング機構においては、レール部に対してローラを転動させることによって施術本体部の摺動抵抗を極力小さくする構成となっている。このため、施術本体部をリクライニング可能状態にすると、被施術者による僅かな操作力で施術本体部がリクライニング方向に急激にスライド変位するため、リクライニング角度の調整が行い難い。また、レール部とローラとの間にゴミなどの異物が挟まると、施術本体部のリクライニング操作時に周期的な振動や異音が生じて円滑な操作感を阻害する。
【０００７】
本発明は上記問題に対処するためなされたもので、その目的は、施術本体部のリクライニング操作時における角度調整を行い易くするとともに、施術本体部を違和感なく円滑にリクライニング操作することができる足用マッサージ器を提供することにある。
【発明の概要】
【０００８】
上記目的を達成するため、請求項１に係る本発明の特徴は、被施術者の下腿から足先までの範囲内の施術対象部が当てられて同施術対象部をマッサージするマッサージ手段を有した施術本体部と、施術本体部を床面上に支持するベース部と、ベース部に対して施術本体部をリクライニング可能に支持するリクライニング機構とを備えるマッサージ器において、リクライニング機構は、施術本体部およびベース部における一方に設けられ、施術本体部をリクライニングさせる方向に沿って延びるレール部と、施術本体部およびベース部における他方に設けられ、レール部に面接触した状態で摺動することによりレール部に対して相対変位する摺動体とを備え、摺動体は、レール部上を摺動接触する摺動面に凹状に窪んだ凹部が形成されており、凹部は、摺動体の摺動方向に対して交わる方向に沿って形成された溝部であり、溝部は、摺動体の縁部に貫通した状態で形成されているとともに、摺動体における幅方向の略中央部から同摺動体の両端部に向って互いに交わる方向に延びる少なくとも２つの溝で構成されていることにある。
【０００９】
このように構成した請求項１に係る本発明の特徴によれば、足用マッサージ器は、ベース部に対して施術本体部を揺動可能に支持するリクライニング機構が、施術本体部またはベース部に設けられたレール部と、同レール部に対向するベース部または施術本体部に設けられて同レール部に面接触して摺動する摺動体とで構成されている。これにより、施術本体部は、摺動体がレール部上を摩擦摺動しながら、換言すれば、摺動体のレール部に対する摺動抵抗に抗しながらスライド変位するため、施術部本体部の変位およびリクライニング角度の位置決めが行い易くなる。また、摺動体がレール部に対して面接触した状態で摺動しているため、レール部と摺動体との間にゴミなどの異物が侵入し難く施術本体部のリクライニング操作時における振動や異音の発生を押さえることができる。これにより、施術本体部を違和感なく円滑にリクライニング操作することができる。
【００１０】
また、請求項１に係る本発明の特徴によれば、足用マッサージ器は、摺動体における摺動面上に凹状に凹んだ凹部が形成されている。これにより、レール部上を摺動する摺動体の摩擦抵抗を凹部の形成態様による摺動面の大きさ（接触面積の大きさ）によって規定することができるため、施術本体部をスライド変位させる際の抵抗を適当な大きさに設定することができる。
【００１１】
また、請求項１に係る本発明の特徴によれば、足用マッサージ器は、摺動体の摺動面に形成された溝部が摺動体の摺動方向に対して交わる方向に沿って形成されている。これにより、レール部と摺動体との間に侵入したゴミなどの異物を溝部内に捕捉することができるため、施術本体部のリクライニング操作時における振動や異音の発生を抑えることができ、円滑な操作感で施術本体部をリクライニングさせることができる。
【００１２】
また、請求項１に係る本発明の特徴によれば、足用マッサージ器は、溝部が摺動体の縁部まで貫通した状態で形成されている。これにより、溝部内に捕捉したゴミなどの異物を溝部から排出することができ、溝部内に存在する異物が再びレール部と摺動体との間に侵入することを防止することができる。
【００１３】
また、請求項１に係る本発明の特徴によれば、足用マッサージ器は、溝部が摺動体における幅方向の略中央部で互いに交わる２つの溝部で構成されている。これにより、摺動体に溝部を１つの方向に延びて形成した場合に比べて、摺動体がレール部上を直進摺動し易くなるとともに、溝部内に捕捉した異物をより短い距離で溝部外に導いて排出することができる。
【００１４】
また、請求項２に係る本発明の他の特徴は、前記足用マッサージ器において、溝部は、２つの溝で構成され、前記２つの溝は、Ｘ字状、Ｖ字状またはＵ字状に交わるように形成されていることにある。
【００１５】
このように構成した請求項２に係る本発明の他の特徴によれば、足用マッサージ器は、前記請求項１における足用マッサージ器と同様の作用効果を奏することができる。
【００１６】
削除
【００１７】
削除
【００１８】
また、請求項３に係る本発明の他の特徴は、前記足用マッサージ器において、レール部は、摺動体が摺動接触する摺動面に摺動体の摺動方向に沿って突出する凸部を有することにある。
【００１９】
このように構成した請求項３に係る本発明の他の特徴によれば、足用マッサージ器は、レール部における摺動面に摺動体の摺動方向に沿って突出する凸部が形成されている。これにより、摺動体の溝部における異物の捕捉機能を維持しつつレール部と摺動体との摩擦抵抗を調節して施術本体部をスライド変位させる抵抗を適当な大きさに設定することができる。
【００２０】
また、請求項４に係る本発明の他の特徴は、前記足用マッサージ器において、リクライニング機構は、さらに、施術本体部をベース部に対して起立させる方向に押圧する起立手段を備えることにある。この場合、起立手段は、コイルスプリングなどの弾性体の他に油圧や空気圧を用いたスプリングを用いることができる。
【００２１】
このように構成した請求項４に係る本発明の他の特徴によれば、足用マッサージ器は、リクライニング機構が、施術本体部をベース部に対して起立させる方向に押圧する起立手段を備えて構成されている。このため、リクライニング機構は、施術本体部のリクライニング角度を調整する場合において自動的に施術本体部を起立、すなわち、施術本体部を自立させることができる。これにより、施術本体部のリクライニング操作の利便性向上させることができる。
【図面の簡単な説明】
【００２２】
【図１】本発明の一実施形態に係る足用マッサージ器の全体構成を斜め前方から概略的に示す正面斜視図である。
【図２】図１に示す足用マッサージ器の外観構成の概略を斜め後方から示す後方斜視図である。
【図３】足用マッサージ器の作動を制御する制御システムを模式的に示すブロック図である。
【図４】図１に示す足用マッサージ器のリクライニング機構を説明するために施術本体部が起立状態にある足用マッサージ器の断面を模式的に示す断面模式図である。
【図５】図４に示す摺動体の概観構成の概略を示す斜視図である。
【図６】図１に示す足用マッサージ器のリクライニング機構を説明するために施術本体部が傾斜状態にある足用マッサージ器の断面を模式的に示す断面模式図である。
【図７】本発明の変形例に係る摺動体の溝部の形成バリエーションを模式的に示す摺動体の平面図である。
【図８】本発明の変形例に係るレール部の凸部の概観を模式的に示す摺動体の平面図である。
【発明を実施するための形態】
【００２３】
以下、本発明に係る足用マッサージ器の一実施形態について図面を参照しながら説明する。図１は、本発明に係る足用マッサージ器１００の外観構成の概略を斜め前方から示した前方斜視図である。また、図２は、図１に示した足用マッサージ器１００の外観構成の概略を斜め後方から示した後方斜視図である。また、図３は、足用マッサージ器１００の作動を制御する制御システムのブロック図である。なお、本明細書において参照する各図は、本発明の理解を容易にするために一部の構成要素を誇張して表わすなど模式的に表している。このため、各構成要素間の寸法や比率などは異なっていることがある。この足用マッサージ器１００は、被施術者のふくらはぎや足先などの施術対象部を断続的に圧迫するなどしてマッサージする機械装置である。
【００２４】
（足用マッサージ器１００の構成）
足用マッサージ器１００は、施術本体部１０１を備えている。施術本体部１０１は、被施術者の膝より下の足部を保持して同足部をマッサージする機械装置であり、側面視で略Ｌ字状に形成されている。より具体的には、施術本体部１０１は、主として、被施術者の両足における足先から下腿までの間における足部の両側面、背面および底面を覆う凹状に形成された左右一対の受け部１０２と、この受け部１０２を被施術者の両足を出し入れ可能な状態で覆うハウジング１０３とを備えて構成されている。
【００２５】
受け部１０２は、被施術者の各足部に接する内側面が布製のカバー１０２ａで覆われるとともに、同カバー１０２ａの内側にエアバッグ１０２ｂが複数配置されて構成されている。エアバッグ１０２ｂは、後述するコンプレッサ１２１から空気の供給を受けて膨張するとともに後述する電磁弁１２２の開放により収容している空気を排出して収縮する樹脂製の袋体である。このエアバッグ１０２ｂは、受け部１０２における被施術者の足先やふくらはぎなどの施術対象部を圧迫する位置、例えば、足先の両側やふくらはぎの両側にそれぞれ対応する位置にそれぞれ配置されている。なお、図１および図２においては、エアバッグ１０２ｂを破線で示している。また、図３においては、便宜上、エアバッグ１０２ｂを一対のみ示している。
【００２６】
一方、ハウジング１０３は、施術本体部１０１の筺体を構成する樹脂製（例えば、ＰＥ（ポリエチレン樹脂））の部材であり、受け部１０２を覆う形状に成形されている。このハウジング１０３には、上面中央部に操作パネル１０４が設けられているとともに上面における一方の端部（図２において図示右側）にリクライニング釦１０５がそれぞれ設けられている。操作パネル１０４は、足用マッサージ器１００の作動を制御するコントローラ１２０に指示を与えるとともに、足用マッサージ器１００（コントローラ１２０）からの情報を表示するためのユーザインターフェースである。また、リクライニング釦１０５は、施術本体部１０１のリクライニング角度（傾斜角度）を変更可能な状態にするための押し釦である。
【００２７】
また、ハウジング１０３の背面には、足用マッサージ器１００の上下方向に沿って凸状に湾曲した円弧状の背面カバー１０６が設けられているとともに、同背面カバー１０６に形成された２つの長孔１０６ａを介して左右一対のレール部１０７がそれぞれ露出している。背面カバー１０６は、ハウジング１０３の背面を覆うとともにレール部１０７と協働して後述する摺動体１１２を保持する樹脂製の湾曲板状部材である。
【００２８】
レール部１０７は、図４および図５に示すように、施術本体部１０１をリクライニングさせるためにハウジング１０３の内部に形成された細長い長尺状の摺動面であり、１つのレール部１０７が互いに平行に延びる２つの摺動面によって構成されている。これら左右一対のレール部１０７は、施術本体部１０１のリクライニング方向に沿って互いに平行な状態で円弧状に延びて形成されている。なお、図４においては、レール部１０７、摺動体１１２およびガススプリング１０８を分かり易くするため、その他の構造を省略して示している。また、図５においては、レール部１０７を二点鎖線で示している。
【００２９】
また、施術本体部１０１の内部には、施術本体部１０１を押圧して施術本体部１０１の姿勢を起立させるためのガススプリング１０８が設けられている。ガススプリング１０８は、本体部内に封入したガス圧により伸長する弾性部品であり、一方の端部がハウジング１０３の内側面上部に接続されているとともに他方の端部がベース部１１０に接続されている。このガススプリング１０８は、ガス圧の作用状態を切り替える図示しないプッシュピンを備えるとともに、このプッシュピンに前記リクライニング釦１０５が図示しないワイヤを介して接続されている。すなわち、ガススプリング１０８は、リクライニング釦１０５を押し込んでプッシュピンを押圧することにより、ガス圧を作用させて伸長する。
【００３０】
そして、この施術本体部１０１は、足用マッサージ器１００の前後方向にベース部１１０に対して揺動可能な状態で支持されている。より具体的には、施術本体部１０１は、ベース部１１０の上面に張り出して設けられた摺動体１１２上にレール部１０７が摺動可能に載置された状態で支持されている。ベース部１１０は、床面に配置されて施術本体部１０１を揺動可能な状態で支持する土台部品であり、射出成形した樹脂部材を組み合わせて中空状に形成されている。
【００３１】
このベース部１１０は、底部が平面状に形成されるとともに同底部に対向する上面部が凹状に湾曲した円弧形状に成形されて構成されている。また、このベース部１１０における凹状円弧状に湾曲した上面には、前記レール部１０７に対応する位置に４つの支持柱１１１が上方に向かってそれぞれ起立した状態で形成されている。そして、これら4つの各支持柱１１１の各上面には、摺動体１１２がそれぞれ設けられている。
【００３２】
摺動体１１２は、施術本体部１０１のレール部１０７を摺動可能な状態で支持する樹脂製の部品であり、樹脂素材（例えば、ＰＯＭ（ポリアセタール樹脂））を射出成形することにより成形されている。この摺動体１１２は、詳しくは図５に示すように、主として２つの本体部１１２ａと、これら２つの本体部１１２ａを繋ぐ固定部１１２ｄとで構成されている。本体部１１２ａは、施術本体部１０１のレール部１０７を支持する部分であり、起立した板状体で構成されている。本体部１１２ａの上面は、中央部に向って２つの平面が上り傾斜する山形状に形成されている。この本体部１１２ａにおける山形形状を構成する２つの平面状の傾斜面が、レール部１０７に対してそれぞれ摺動する摺動面１１２ｂである。
【００３３】
これらの各摺動面１１２ｂ上には、摺動面１１２ｂの長手方向に交わる方向に凹状に延びた溝部１１２ｃが同長手方向に沿って複数形成されている。本実施形態においては、溝部１１２ｃは、摺動面１１２ｂの幅方向中央部を頂点として摺動面１１２ｂの両端部に向って２つの溝がそれぞれ図示斜め下方向に延びる山形状にそれぞれ形成されている。そして、溝部１１２ｃを構成する２つの溝は、各両端部が摺動面１１２ｂの縁部に貫通した状態で形成されている。
【００３４】
この摺動体１１２は、前記２つの本体部１１２ａが水平板状の固定部１１２ｄの両側に互いに平行に対向した状態で固定的に形成されて構成されている。すなわち、摺動体１１２は、２つの本体部１１２ａと１つの固定部１１２ｄとが一体的に成形されている。そして、これらの各摺動体１１２は、固定部１１２ｄが図示しないビスにより支持柱１１１の上面にビス止めにより固定されるとともに本体部１１２ａが施術本体部１０１の背面に嵌め込まれることにより施術本体部１０１とベース部１１０とを連結している。
【００３５】
より具体的には、これらの各摺動体１１２は、施術本体部１０１におけるレール部１０７と背面カバー１０６との間の隙間に配置された状態で各摺動面１１２ｂ上にレール部１０７が載置されて施術本体部１０１とベース部１１０とを連結している。すなわち、施術本体部１０１とベース１１０とは、摺動体１１２の施術本体部１０１への嵌まり込みと、前記ガススプリング１０８による接続とによって施術本体部１０１がベース部１１０に対して摺動可能な状態で連結されている。
【００３６】
コントローラ１２０は、ＣＰＵ、ＲＯＭ、ＲＡＭなどからなるマイクロコンピュータによって構成されており、ベース部１１０の内部空間に設けられている。このコントローラ１２０は、操作パネル１０４を介した被施術者からの指示に従って、ＲＯＭなどの記憶装置に予め記憶された制御プログラムを実行することにより、足用マッサージ器１００の各種作動を制御する。具体的には、このコントローラ１２０は、コンプレッサ１２１および電磁弁１２２の各作動をそれぞれ制御する。
【００３７】
この場合、コンプレッサ１２１は、吸引口１２３から取り込んだ外気を圧縮してエアバッグ１０２ｂに送り込む機械装置であり、ベース部１１０の内部空間に固定的に配置されている。また、電磁弁１２２は、コンプレッサ１２１とエアバッグ１０２ｂとを繋ぐエアの配管１２４上に設けられた三方弁であり、コンプレッサ１２１とエアバッグ１０２ｂとを連通状態または非連通状態（遮断）にするとともに、エアバッグ１０２ｂ内を大気空間に対して連通状態または非連通状態（遮断）にする。また、この足用マッサージ器１００は、家庭用電源からの電力の導入するための図示しない電源コードなども備えているが、これらについては、本発明に直接関わらないため、その説明は省略する。
【００３８】
（足用マッサージ器１００の作動）
次に、このように構成した足用マッサージ器１００の作動について説明する。まず、この足用マッサージ器１００を使用する被施術者は、足用マッサージ器１００を用意する。この場合、足用マッサージ器１００は、施術本体部１０１が起立状態、具体的には、施術本体部１０１の受け部１０２に挿入される被施術者の下腿が略垂直となる姿勢に位置決めされているものとする（図４参照）。次いで、被施術者は、足用マッサージ装置１００を起動させる。具体的には、被施術者は、足用マッサージ器１００の電源コードを家庭用電源の差し込み口（所謂コンセント）に差し込んだ後、操作パネル１０４を操作して足用マッサージ器１００の電源を入れる。これにより、足用マッサージ器１００のコントローラ１２０は、図示しない所定の制御プログラムを実行することにより被施術者からの指令の入力を待つ待機状態となる。
【００３９】
次に、被施術者は、足用マッサージ器１００における施術本体部１０１をリクライニングさせてリクライニング角度（傾斜角度）を調節する。具体的には、被施術者は、施術本体部１０１の上面端部に設けられたリクライニング釦１０５を押圧するとともに同押圧状態を維持することにより、ガススプリング１０８のロック状態を解除する。これにより、施術本体部１０１は、リクライニングが可能な状態でガススプリング１０８の伸長する力を受けるため、起立させる方向に押圧された状態となる。
【００４０】
したがって、被施術者は、図６に示すように、リクライニング釦１０５の押圧した状態で施術本体部１０１の上部を押さえつつ更に押し込むことにより、ガススプリング１０８の伸長しようとする弾性力に抗しながら施術本体部１０１をベース部１１０に対してスライド変位させることができる。また、被施術者は、施術本体部１０１を押し込んだ力を緩めることによりガススプリング１０８が伸長する弾性力を利用して施術本体部１０１を起立させる方向にスライド変位させることができる。なお、図６においては、レール部１０７、摺動体１１２およびガススプリング１０８を分かり易くするため、その他の構造を省略して示している。
【００４１】
この場合、施術本体部１０１は、各レール部１０７がベース部１１０上に固定された各摺動体１１２上を面接触した状態でそれぞれ摺動することによりベース部１１０上をスライド変位する。すなわち、施術本体部１０１は、レール部１０７と摺動体１１２との間に生じる摩擦抵抗に抗しながらスライド変位する。このため、被施術者は、施術本体部１０１のスライド変位作業およびリクライニング角度の位置決め作業を穏やかなゆっくりとした操作で行うことができる。また、摺動体１１２がレール部１０７に対して面接触した状態で摺動するため、レール部１０７と摺動体１１２との間にゴミなどの異物が侵入し難く施術本体部１０１のリクライニング操作時における振動や異音の発生を抑えることができる。これにより、被施術者は、施術本体部１０１を違和感なく円滑にリクライニング操作させることができる。
【００４２】
また、レール部１０７と摺動体１１２との間にゴミなどの異物が侵入した場合においては、レール部１０７が摺動体１１２に対して摺動変位する際に異物が溝部１１２ｃ内に捕捉される。この場合、溝部１１２ｃ内に捕捉された異物は、溝部１１２ｃが摺動体１１２の縁部に開口して形成されているため、溝部１１２ｃから摺動体１１２の外に排出されて再びレール部１０７と摺動体１１２との間に侵入することを防止される。これらにより、施術本体部１０１のリクライニング操作時における振動や異音の発生を抑えることができる。
【００４３】
そして、被施術者は、施術本体部１０１を好みのリクライニング角度に位置決めした場合には、リクライニング釦１０５の押圧を中断する。これにより、ガススプリング１０８がロック状態に復帰するため、施術本体部１０１はスライド変位が不能の状態となりリクライニング角度が固定される。
【００４４】
次に、被施術者は、椅子やソファなどに腰掛けた状態で自らの両足を施術本体部１０１における受け部１０２内にそれぞれ挿入して、施術本体部１０１のリクライニング角度の適否を確認する。そして、施術本体部１０１のリクライニング角度が適当である場合には、被施術者は、操作パネル１０４を操作することによりコントローラ１２０に対して施術本体部１０１による施術動作の開始を指示する。この指示に応答して、コントローラ１２０は、所定の制御プログラムを実行することによりコンプレッサ１２１および電磁弁１２２の作動をそれぞれ制御して被施術者の施術対象部に対するマッサージ動作を開始する。
【００４５】
一方、施術本体部１０１のリクライニング角度が不適である場合には、被施術者は、再度、リクライニング釦１０５を押して施術本体部１０１のリクライニング角度を好みの傾斜角度に調整した後、コントローラ１２０に対して施術動作の開始を指示する。また、被施術者は、施術本体部１０１による施術中において、施術本体部１０１のリクライニング角度する場合には、操作パネル１０４を操作することにより施術本体部１０１による施術動作を一時停止させた後、リクライニング釦１０５を押して施術本体部１０１のリクライニング角度を調整することができる。
【００４６】
また、施術本体部１０１による施術が終了した場合には、被施術者は、施術本体部１０１のリクライニング角度を起立状態に戻す。具体的には、被施術者は、施術本体部１０１に設けられたリクライニング釦１０５を押圧した状態で施術本体部１０１を押さえる力を緩めることによりガススプリング１０８の弾性力を利用して施術本体部１０１を起立させる方向にスライド変位させる（図４参照）。そして、被施術者は、操作パネル１０４を操作して足用マッサージ器１００の電源を切るとともに足用マッサージ器１００の電源コードを家庭用電源の差し込み口から抜くことにより、足用マッサージ器１００の使用を終了することができる。
【００４７】
上記作動説明からも理解できるように、上記実施形態によれば、足用マッサージ器１００は、ベース部１１０に対して施術本体部１０１を揺動可能に支持するリクライニング機構が、施術本体部１０１に設けられたレール部１０７と、同レール部１０７に対向するベース部１１０に設けられて同レール部１０７に面接触して摺動する摺動体１１２とで構成されている。これにより、施術本体部１０１は、摺動体１１２がレール部１０７上を摩擦摺動しながら、換言すれば、摺動体１１２のレール部１０７に対する摺動抵抗に抗しながらスライド変位するため、施術部本体部１０１の変位およびリクライニング角度の位置決めが行い易くなる。また、摺動体１１２がレール部１０７に対して面接触した状態で摺動しているため、レール部１０７と摺動体１１２との間にゴミなどの異物が侵入し難く施術本体部のリクライニング操作時における振動や異音の発生を押さえることができる。これにより、施術本体部１０１を違和感なく円滑にリクライニング操作することができる。
【００４８】
さらに、本発明の実施にあたっては、上記実施形態に限定されるものではなく、本発明の目的を逸脱しない限りにおいて種々の変更が可能である。なお、下記各変形例を示す図３〜図７においては、上記実施形態における足用マッサージ器１００の構成部分に対応する部分に同じ符号を付して、これらの説明は適宜省略する。
【００４９】
例えば、上記実施形態においては、足用マッサージ器１００は、被施術者のふくらはぎおよび足先を断続的に圧迫することによりマッサージするエアバッグ１０２ｂを備えて構成されている。すなわち、エアバッグ１０２ｂが本発明に係るマッサージ手段に相当する。しかし、このマッサージ手段は、被施術者の下腿から足先までの範囲における施術対象部をマッサージするものであれば、配置位置や配置数は上記実施形態に限定されるものではない。また、被施術者の施術対象部をマッサージする方法も空気圧による圧迫以外の方法、例えば、施術対象部に振動する複数の突起物を当てる方法や、施術対象部を一対のローラで断続的に挟むなどの方法がある。したがって、マッサージ手段、延いては施術本体部１０１は、足先部分のみや下腿部分のみを保持してマッサージする構成であってもよい。
【００５０】
また、上記実施形態においては、施術本体部１０１をリクライニングさせるリクライニング機構は、施術本体部１０１にレール部１０７を設けるとともにベース部１１０に摺動体１１２を設けて構成した。しかし、リクライニング機構は、施術本体部１０１をベース部１１０に対して揺動可能な構成であれば、必ずしも上記実施形態に限定されるものではない。例えば、施術本体部１０１に摺動体１１２を設けるとともにベース部１１０にレール部１０７を設けてリクライニング機構を構成することもできる。すなわち、リクライニング機構を構成するレール部１０７および摺動体１１２は、一方が施術本体部１０１またはベース部１１０に設けられるとともに、他方がベース部１１０または施術本体部１０１に設けられて互いに相対変位するように構成されていればよい。
【００５１】
また、上記実施形態においては、摺動体１１２は、摺動面１１２ｂに溝部１１２ｃが形成されて構成されている。しかし、摺動体１１２は、レール部１０７に対して面接触により摺動する形状であればよい。すなわち、摺動体１１２は、摺動面１１２ｂの全面を凹凸のない平らな形状に形成して溝部１１２ｃを形成しない構成とすることもできる。この場合、摺動体１１２における摺動面１１２ｂは、平板状に形成してもよいし、レール部１０７の曲面に沿った曲面に形成されていてもよい。
【００５２】
また、上記実施形態においては、摺動体１１２における溝部１１２ｃは、摺動面１１２ｂの幅方向中央部を頂点として摺動面１１２ｂの両端部に向って２つの溝がそれぞれ斜め方向に延びる山形状に形成した。しかし、溝部１１２ｃは、摺動面１１２ｂの表面から凹状に窪んだ形状であれば、必ずしも上記実施形態に限定されるものではない。すなわち、溝部１１２ｃが、本発明に係る溝部に相当するとともに凹部に相当する。
【００５３】
したがって、凹部は、例えば、図７（ａ）〜（ｇ）に示すような各種の形状で構成することができる。この場合、図７（ａ）に示すように、凹部としての溝部１１２ｃを、摺動面１１２ｂの幅方向中央部を頂点として摺動面１１２ｂの両端部に向って２つの溝がそれぞれ図示斜め上方向に延びるＶ字形状に形成することができる。また、図７（ｂ）に示すように、凹部としての溝部１１２ｃを、摺動面１１２ｂの幅方向の一方の縁部から他方の縁部に向けて斜め方向に延びる一直線状の形状に形成することもできる。このように、溝部１１２ｃを摺動体１１２の摺動方向に対して交わる方向に沿って形成することにより、レール部１０７と摺動体１１２との間に侵入したゴミなどの異物を溝部１１２ｃ内に捕捉することができる。
【００５４】
また、凹部としての溝部１１２ｃを摺動面１１２ｂの縁部まで貫通した状態で形成することにより、溝部１１２ｃ内に捕捉したゴミなどの異物を溝部から排出することができる。なお、溝部１１２ｃは、図７（ｃ）に示すように、摺動面１１２ｂ内にのみ設けて、摺動面１１２ｂの縁部まで貫通しない状態で形成してもよいことは当然である。
【００５５】
また、図７（ｄ）に示すように、凹部としての溝部１１２ｃは、摺動面１１２ｂの幅方向に平行な直線状に形成することができる。また、図７（ｅ）に示すように、凹部としての溝部１１２ｃは、摺動面１１２ｂの長手方向に平行な直線状に形成することができる。また、図７（ｆ）に示すように、凹部としての溝部１１２ｃは、摺動面１１２ｂの幅方向に延びる曲線状に形成することができる。また、図７（ｇ）に示すように、凹部１１３を摺動面１１２ｂ上に複数の点状の窪みとして形成することもできる。
【００５６】
また、上記実施形態においては、摺動体１１２における摺動面１１２ｂは、本体部１１２ａの上面を構成する２つ傾斜面上に形成されている。これにより、摺動体１１２をベース部１１０の４つの支持柱１１１上に組み付ける際、摺動体１１２の向きを考慮することなく組み付けることができ、作業性が向上する。したがって、摺動体１１２の摺動面１１２ｂは、必ずしも、本体部１１２ａの上面に２つ形成する必要はなく、少なくとも１つ形成されていればよい。
【００５７】
また、上記実施形態においては、レール部１０７は、凸状に湾曲する円弧状に形成されている。しかし、レール部１０７は、摺動体１１０を摺動させることにより施術本体部１０１をリクライニングさせることができる形状であれば、上記実施形態に限定されるものではない。例えば、レール部１０７は、ベース部１１０側に設ける場合においては、凹状に湾曲する円弧状に形成するとよい。また、レール部１０７は、１つの直線で構成できるとともに、２つ以上の直線を繋げた形状、例えば、２つの直線をＶ字状に繋げた形状に形成することもできる。
【００５８】
また、上記実施形態においては、レール部１０７は、凹凸の平滑な面で構成されている。しかし、レール部１０７は、摺動体１１２が摺動接触する表面に凸状に突出した凸部を設けることもできる。この場合、図８（Ａ），（Ｂ）に示すように、凸部１１４は、レール部１０７の長手方向、すなわち、摺動体１１２の摺動方向に沿って突出する形状に形成するとよい。また、この場合、凸部１１４は、図８（Ａ）に示すように、施術本体部１０１のハウジング１０３と一体形成により構成してもよいし、図８（Ｂ）に示すように、施術本体部１０１のハウジング１０３に対して別体で形成した後、同ハウジング１０３に貼り付けて構成することもできる。これらによれば、摺動体１１２の溝部１１２ｃにおける異物の捕捉機能を維持しつつレール部１０７と摺動体１１２との摩擦抵抗を調節して施術本体部１０１をスライド変位させる抵抗を適当な大きさに設定することができる。
【００５９】
また、凸部１１４をハウジング１０３と別体で形成した場合においては、ハウジング１０３をＡＢＳ樹脂などの安価な素材で形成するとともに、凸部１１４をＰＥ樹脂やＰＯＭ樹脂などの耐磨耗性に優れた素材で構成することにより、足用マッサージ器１００を経済的に構成することができるとともに、凸部１１４のメンテナンス性も向上する。なお、レール部１０７、凸部１１４および摺動体１１２は、樹脂素材以外の素材、例えば、金属素材や繊維素材などを用いて構成してもよいことは当然である。
【００６０】
また、上記実施形態においては、足用マッサージ器１００は、施術本体部１０１とベース部１１０とをガススプリング１０８で連結することにより、施術本体部１０１をベース部１１０に対してガススプリング１０８の弾性力によって起立するように構成した。すなわち、ガススプリング１０８が、本発明に係る起立手段に相当する。しかし、起立手段は、ガススプリング１０８以外の弾性体、例えば、油圧を用いたスプリングや線状のバネ材を螺旋状に巻いたコイルスプリングなどで構成することもできる。また、起立手段を電動モータなどのアクチュエータを用いて構成することもできる。また、施術本体部１０１を自動的に起立させる必要がない場合には、ガススプリング１０８、すなわち、起立手段を省略して足用マッサージ器１００を構成することもできる。
【符号の説明】
【００６１】
１００…足用マッサージ器、
１０１…施術本体部、１０２…受け部、１０２ａ…カバー、１０２ｂ…エアバッグ、１０３…ハウジング、１０４…操作パネル、１０５…リクライニング釦、１０６…背面カバー、１０６ａ…長孔、１０７…レール部、１０８…ガススプリング、
１１０…ベース部、１１１…支持柱、１１２…摺動体、１１２ａ…本体部、１１２ｂ…摺動面、１１２ｃ…溝部、１１２ｄ…固定部、１１３…凹部、１１４…凸部、
１２０…コントローラ、１２１…コンプレッサ、１２２…電磁弁、１２３…吸引口、１２４…配管。
【要約】
【課題】施術本体部のリクライニング操作時における角度調整を行い易くするとともに、施術本体部を違和感なく円滑にリクライニング操作することができる足用マッサージ器を提供する。
【解決手段】足用マッサージ器１００は、被施術者の足における施術対象部をマッサージするエアバッグ１０２ｂを備えた施術本体部１０１と、同施術本体部１０１を揺動可能に指示するベース部１１０とで構成されている。施術本体部１０１の背面には、凸状に湾曲したレール部１０７が設けられている。この施術本体部１０１は、ベース部１１０の上面に突出して設けられた摺動体１１２上にレール部１０７が摺動可能に載置された状態で支持されている。摺動体１１２には、レール部１０７が摺動してスライド変位する摺動面１１２ｂが形成されている。この摺動面１１２ｂには、摺動面１１２ｂの長手方向に交わる方向に凹状に延びた溝部１１２ｃが同長手方向に沿って複数形成されている。
【選択図】  図４【図１】
0004771494.tif 000002
【図２】
0004771494.tif 000003
【図３】
0004771494.tif 000004
【図４】
0004771494.tif 000005
【図５】
0004771494.tif 000006
【図６】
0004771494.tif 000007
【図７】
0004771494.tif 000008
【図８】
0004771494.tif 000009